(57)【要約】  副鼻腔開口部の治療のための医療装置、並びにこの医療装置を収容するシステム及びパッケージ化されたキットが説明される。医療装置は、近位端と、遠位端と、膨張内腔及び灌注内腔を有するシャフトシステムと、を含む。シャフトシステムは、近位シャフト区分及び遠位シャフト区分を有する。インフレータブルバルーンは、前述の遠位端に近位の位置において、遠位シャフト区分に取り付けられる。灌注先端部は、遠位シャフト区分上のバルーンに遠位であり、並びに、先端開口部及び１つ又は２つ以上の半径方向を向く開口部を有する。副鼻腔開口部を治療するための方法は、医療装置、副鼻腔ガイドカテーテル、及び副鼻腔ガイドエレメントを含むシステムを、患者の生体構造内に挿入することと、副鼻腔開口部を拡張することと、鼻の生体構造における標的を灌注することと、を含む。
2014521438.tif 000002
【特許請求の範囲】
【請求項１】
副鼻腔開口部の治療のための医療装置であって、前記医療装置は、
近位端と、
遠位端と、
前記近位端と前記遠位端との間に、膨張内腔及び灌注内腔を有するシャフトシステムであって、近位シャフト区分及び遠位シャフト区分を有する、シャフトシステムと、
前記遠位シャフト区分上にあり、前記遠位端に近位のインフレータブルバルーンと、
前記遠位シャフト区分上にあり、前記インフレータブルバルーンに遠位の灌注先端部であって、先端開口部及び１つ又は２つ以上の半径方向を向く開口部を含む、灌注先端部と、を含む、医療装置。
【請求項２】
前記１つ又は２つ以上の半径方向を向く開口部が、３つの開口部を含む、請求項１に記載の医療装置。
【請求項３】
前記半径方向を向く開口部が、０．０５１ｃｍ〜０．１２７ｃｍ（０．０２０インチ〜０．０５０インチ）の直径を有する、請求項２に記載の医療装置。
【請求項４】
前記半径方向を向く開口部が、０．０６６ｃｍ（０．０２６インチ）の直径を有する、請求項３に記載の医療装置。
【請求項５】
前記半径方向を向く開口部が、１２０度離間される、請求項２に記載の医療装置。
【請求項６】
前記膨張内腔及び前記灌注内腔が、隣接する内腔である、請求項１に記載の医療装置。
【請求項７】
前記灌注先端部が、非外傷性先端部分を含む、請求項１に記載の医療装置。
【請求項８】
ガイドエレメント内腔を更に含む、請求項１に記載の医療装置。
【請求項９】
前記灌注先端部が、前記非外傷性先端部の近位の灌注先端部内腔を有し、前記灌注先端部内腔が、灌注先端部内腔直径を有し、
前記先端開口部が、先端開口部直径を有し、
前記灌注先端部内腔直径が、前記先端開口部直径より大きい、請求項７に記載の医療装置。
【請求項１０】
前記先端開口部直径が、０．０９４ｃｍ（０．０３７インチ）であり、前記灌注内腔直径が、０．１０７ｃｍ（０．０４２インチ）である、請求項９に記載の医療装置。
【請求項１１】
前記近位シャフト区分が、補強部材を更に含む、請求項１に記載の医療装置。
【請求項１２】
前記補強部材がハイポチューブを含む、請求項１１に記載の医療装置。
【請求項１３】
副鼻腔にアクセスし、副鼻腔を拡張し、かつ副鼻腔を灌注するためのシステムであって、前記システムは、
副鼻腔ガイドカテーテルと、
ガイドエレメントと、
膨張内腔、灌注内腔、インフレータブルバルーン、及び灌注先端部を含む医療装置と、を含み、
前記膨張内腔及び前記灌注内腔は、隣接する内腔であり、前記灌注先端部は、少なくとも１つの半径方向を向く開口部を含む、システム。
【請求項１４】
前記医療装置が、１つ又は２つ以上の直接可視化マーカを更に含む、請求項１３に記載のシステム。
【請求項１５】
前記医療装置が、１つ又は２つ以上のＸ線撮影マーカを更に含む、請求項１３に記載のシステム。
【請求項１６】
前記少なくとも半径方向を向く開口部が、３つの開口部を含む、請求項１３に記載のシステム。
【請求項１７】
前記半径方向を向く開口部が、０．０５１ｃｍ〜０．１２７ｃｍ（０．０２０インチ〜０．０５０インチ）の直径を有する、請求項１６に記載のシステム。
【請求項１８】
前記半径方向を向く開口部が、０．０６６ｃｍ（０．０２６インチ）の直径を有する、請求項１７に記載のシステム。
【請求項１９】
前記半径方向を向く開口部が、１２０度離間される、請求項１６に記載のシステム。
【請求項２０】
前記ガイドエレメントが、ガイドワイヤ又は副鼻腔照明システムからなる群から選択される、請求項１３に記載のシステム。
【請求項２１】
前記医療装置が、ガイドエレメント内腔を更に含む、請求項１３に記載のシステム。
【請求項２２】
前記医療装置の灌注先端部が、非外傷性先端部の近位の灌注先端部内腔を有し、前記灌注先端部内腔が、灌注先端部内腔直径を有し、
前記先端開口部が、先端開口部直径を有し、
前記灌注先端部内腔直径が、前記先端開口部直径より大きい、請求項１３に記載のシステム。
【請求項２３】
前記先端開口部直径が、０．０９４ｃｍ（０．０３７インチ）であり、前記灌注先端部内腔直径が、０．１０７ｃｍ（０．０４２インチ）である、請求項２２に記載のシステム。
【請求項２４】
前記医療装置の近位シャフト区分が、補強部材を更に含む、請求項１３に記載のシステム。
【請求項２５】
前記補強部材がハイポチューブを含む、請求項２４に記載のシステム。
【請求項２６】
副鼻腔開口部を治療するためのパッケージ化されたキットであって、
膨張内腔、灌注内腔、インフレータブルバルーン、及び灌注先端部を含む医療装置であって、前記膨張内腔及び前記灌注内腔は隣接する内腔であり、前記灌注先端部は、少なくとも１つの半径方向を向く開口部を含む、医療装置と、
前記医療装置を副鼻腔ガイドカテーテル内に挿入するための、バルーン挿入スタイレットと、
前記医療装置を灌注流体源に接続するための灌注配管と、を含む、パッケージ化されたキット。
【請求項２７】
副鼻腔開口部を治療するためのパッケージ化されたキットであって、前記キットは、
膨張内腔、灌注内腔、インフレータブルバルーン、及び灌注先端部を含む医療装置であって、前記膨張内腔及び前記灌注内腔は隣接する内腔であり、前記灌注先端部は、少なくとも１つの半径方向を向く開口部を含む、医療装置と、
前記医療装置を副鼻腔ガイドカテーテル内に挿入するための、バルーン挿入スタイレットと、
前記医療装置を真空源に接続するための吸引システムと、を含む、パッケージ化されたキット。
【発明の詳細な説明】
【技術分野】
【０００１】
本発明は、全般的には医療装置に関し、具体的には、副鼻腔の状態の治療のための医療装置及び関連する方法に関する。
【背景技術】
【０００２】
副鼻腔は、副鼻腔口として知られる小さな開口部によって鼻の導管に接続されている頭蓋骨の中空穴である。副鼻腔と鼻腔との間の１層の粘膜組織によって覆われた骨によってそれぞれの副鼻腔口は形成されている。通常、空気は副鼻腔口を通り抜けて副鼻腔を出入りする。また、粘液は副鼻腔のライニングによって連続して形成され、副鼻腔口を通って排出され、鼻の導管に入る。
【０００３】
副鼻腔炎は、１つ以上の副鼻腔の炎症を指す一般用語である。急性副鼻腔炎に伴って生じ得る上気道感染又はアレルギー状態は組織を膨潤し、副鼻腔口からの正常な排液及び副鼻腔の換気を一時的に妨害する場合があり、その結果、副鼻腔穴の内部にいくらかの粘液が溜まること、及び場合によっては副鼻腔穴の内部の感染をもたらすことがある。慢性副鼻腔炎は、１つ以上の副鼻腔口の慢性的な狭窄又は閉塞を特徴とする長期的状態であり、結果的に副鼻腔の慢性の感染及び炎症がもたらされる。慢性副鼻腔炎には、長年にわたる呼吸器系アレルギー、鼻のポリープ、鼻介骨肥大、及び／又は鼻中隔湾曲がしばしば伴う。典型的には、急性副鼻腔炎は単一の病原体（例えば１つの細菌型、１つのウィルス型、１つの真菌型など）による感染によって引き起こされるが、慢性副鼻腔炎には複数の病原体感染（例えば複数の細菌型又は複数の微生物属）が関わることがしばしばである。
【０００４】
治療をせずに慢性副鼻腔炎を放置すると、副鼻腔の生体構造の組織及び／又は骨構造の修復不能の損傷に至る場合がある。通常、慢性副鼻腔炎の初期の治療には、充血除去剤、ステロイド類鼻スプレー及び抗生物質（細菌感染の場合）のような薬剤の使用が関わる。薬剤治療のみで永久的な改善ができない場合は、外科的介入が指示される場合がある。
【０００５】
慢性副鼻腔炎を治療するための最も一般的な外科的処置は、内視鏡下副鼻腔手術（「ＦＥＳＳ」）である。ＦＥＳＳは一般には患者の鼻孔を通して挿入される内視鏡及び多様な堅い器具類を用いて行われる。内視鏡は位置決めを可視化するために使用され、鼻腔及び副鼻腔口から組織を除去して鼻腔の排液を改善するために多様な堅い器具類が使用される。
【０００６】
Ｂａｌｌｏｏｎ  Ｓｉｎｕｐｌａｓｔｙ（商標）処置として知られる技術、及びこの処置を実施するためのシステムが、副鼻腔炎の治療のために、Ａｃｃｌａｒｅｎｔ，Ｉｎｃ．（Ｍｅｎｌｏ  Ｐａｒｋ，ＣＡ）によって開発されてきた。米国特許第７６４５２７２号、同第７６５４９９７号、及び同第７８０３１５０号を含む多くの米国特許及び特許出願が、Ｂａｌｌｏｏｎ  Ｓｉｎｕｐｌａｓｔｙ（商標）処置の様々な実施形態、並びにかかる処置の実施に有用な様々な装置について説明している。Ｂａｌｌｏｏｎ  Ｓｉｎｕｐｌａｓｔｙ（商標）処置では、ガイドカテーテルを鼻に挿入し、患部副鼻腔の副鼻腔口の内部に、又は副鼻腔口に隣接して、配置する。次いで、そのガイドカテーテルを通してガイドワイヤを進め、患部副鼻腔内に挿入する。その後、膨張可能な拡張器（例えばインフレータブルバルーン）を有する拡張カテーテルをそのガイドワイヤの上に前進させ、拡張器が位置づけられている患部副鼻腔の副鼻腔口の内部の位置まで進める。次いで拡張器を拡張し、粘膜の切開又は骨の除去を必要とせずに、副鼻腔口の拡張及び副鼻腔口に隣接する骨の再形成を引き起こす。次いで、カテーテル及びガイドワイヤを取り外すと、拡張された副鼻腔口によって、患部副鼻腔からの排液及び換気の改善が可能となる。
【０００７】
ＦＥＳＳ又はＢａｌｌｏｏｎ  Ｓｉｎｕｐｌａｓｔｙ（商標）処置の実施後、副鼻腔を灌注することが有用であり得るか、又は必要となる場合がある。米国特許出願公開第２００８／０１８３１２８号に記載の装置は、副鼻腔を灌注するのに有用であり得る。例えば灌注、吸引、物質の送達、及び培養物回収の目的のために、副鼻腔口又は副鼻腔内にガイドカテーテルによって灌注カテーテルを前進させることができる。
【発明の概要】
【発明が解決しようとする課題】
【０００８】
副鼻腔の治療のための改善された方法及び装置に対する継続的な必要がある。上記の灌注カテーテルは使用が容易であるが、Ｂａｌｌｏｏｎ  Ｓｉｎｕｐｌａｓｔｙ（商標）処置時に副鼻腔の灌注を提供することが有用である。
【課題を解決するための手段】
【０００９】
したがって、一態様では、本発明は副鼻腔開口部の治療のための医療装置に関し、この装置は、近位端と、遠位端と、近位端と遠位端との間に、膨張内腔及び灌注内腔を有するシャフトシステムと、を有する。シャフトシステムは、近位シャフト区分及び遠位シャフト区分、遠位シャフト区分上にあり、遠位端に近位のインフレータブルバルーン、並びに遠位シャフト区分上にあり、インフレータブルバルーンに遠位の灌注先端部を有する。灌注先端部は、先端開口部及び１つ又は２つ以上の半径方向を向く開口部を有する。
【００１０】
一実施形態において、医療装置は、３つの半径方向を向く開口部を有し得る。半径方向を向く開口部は、０．０５１ｃｍ〜０．１２７ｃｍ、又は０．０６６ｃｍ（０．０２０インチ〜０．０５０インチ、又は０．０２６インチ）の直径を有し得る。
【００１１】
他の実施形態では、医療装置の膨張内腔及び灌注内腔は隣接する内腔である。更なる実施形態では、医療装置は、ガイドエレメント内腔を含む。
【００１２】
更に別の実施形態では、灌注先端部は、非外傷性先端部の近位の灌注先端部内腔を有する。灌注先端部内腔は、灌注先端部内腔直径を有し、先端開口部は、先端開口部直径を有し、灌注先端部内腔直径は先端開口部直径より大きい。別の実施形態では、先端開口部直径は、０．０９４ｃｍ（０．０３７インチ）であり、灌注内腔直径は、０．１０７ｃｍ（０．０４２インチ）である。
【００１３】
更なる実施形態では、医療装置の近位シャフト区分は、補強部材を含む。別の実施形態では、補強部材はハイポチューブである。
【００１４】
別の実施形態では、本発明は、副鼻腔にアクセスし、副鼻腔を拡張し、かつ副鼻腔を灌注するためのシステムであって、本システムは、副鼻腔ガイドカテーテルと、ガイドエレメントと、医療装置と、を有するシステムに関する。医療装置は、膨張内腔、灌注内腔、インフレータブルバルーン、及び灌注先端部を有する。膨張内腔及び灌注内腔は、隣接する内腔であり、灌注先端部は、先端開口部及び少なくとも１つの半径方向を向く開口部を有する。
【００１５】
一実施形態では、医療装置は、１つ又は２つ以上の直接可視化マーカ、あるいは１つ又は２つ以上のＸ線撮影マーカを有する。
【００１６】
別の実施形態では、本システムの医療装置は３つの半径方向を向く開口部を有する。半径方向を向く開口部は、０．０５１ｃｍ〜０．１２７ｃｍ、又は０．０６６ｃｍ（０．０２０インチ〜０．０５０インチ、又は０．０２６インチ）の直径を有してもよい。
【００１７】
別の実施形態では、本システムのガイドエレメントは、ガイドワイヤ又は副鼻腔照明システムからなる群から選択される。更なる実施形態では、本システムの医療装置は、ガイドエレメント内腔を含む。
【００１８】
他の実施形態では、本システムの医療装置は、非外傷性先端部の近位の灌注先端部内腔を備える灌注先端部を有する。灌注先端部内腔は、灌注先端部内腔直径を有し、先端開口部は、先端開口部直径を有し、灌注先端部内腔直径は先端開口部直径より大きい。別の実施形態では、先端開口部直径は、０．０９４ｃｍ（０．０３７インチ）であり、灌注先端部内腔直径は、０．１０７ｃｍ（０．０４２インチ）である。
【００１９】
更なる実施形態では、本システムの医療装置は、補強部材を含む近位シャフト区分を有する。別の実施形態では、補強部材はハイポチューブを含む。
【００２０】
別の態様では、本発明は、副鼻腔開口部を治療するためのパッケージ化されたキットに関する。本キットは、膨張内腔、灌注内腔、インフレータブルバルーン、及び灌注先端部を含む医療装置を有する医療装置であって、膨張内腔及び灌注内腔は隣接する内腔であり、灌注先端部は、少なくとも１つの半径方向を向く開口部を有する、医療装置と、この医療装置を副鼻腔ガイドカテーテル内に挿入するための、バルーン挿入スタイレットと、医療装置を灌注流体源に接続するための灌注配管と、を含む。
【００２１】
更に別の態様では、本発明は、鼻の生体構造における標的空間を治療するための方法に関する。本方法は、膨張内腔、灌注内腔、インフレータブルバルーン、及び灌注先端部を有する医療装置を提供することを含む。膨張内腔及び灌注内腔は隣接する内腔であり、灌注先端部は、先端開口部及び少なくとも１つの半径方向を向く開口部を有する。本方法は、医療装置を副鼻腔ガイドカテーテル内に挿入することと、灌注内腔を通じてガイドエレメントを医療装置内に挿入することと、ガイドカテーテルを鼻の生体構造において位置決めすることと、ガイドエレメントを、鼻の生体構造の標的空間内に前進させることと、ガイドエレメントにわたって医療装置を鼻の生体構造の標的空間内に前進させることと、バルーンを膨張させて副鼻腔開口部を拡張することと、バルーンを収縮させることと、ガイドエレメントを医療装置から回収することと、灌注配管を医療装置に接続することと、先端開口部及び少なくとも１つの半径方向を向く開口部を通じて流体を標的空間に送達することと、を含む。
【００２２】
一実施形態では、流体を送達することは、５０ｍＬ／分〜２００ｍＬ／分の流量で、又は７５ｍＬ／分〜１２５ｍＬ／分の流量で生じ、副鼻腔開口部は、前頭洞開口部、上顎洞開口部、篩骨洞開口部、及び蝶形骨洞開口部であり得る。
【００２３】
他の実施形態では、流体は、水、食塩水、造影剤、抗菌剤、抗炎症剤、鬱血除去剤、粘液希釈化剤、麻酔剤、鎮痛薬、抗アレルギー剤、アレルゲン、抗増殖剤、止血剤、細胞毒性剤、生物学的薬剤又は上記のいずれかの組合せであり得る。
【００２４】
本発明の新規特徴は、特に添付の特許請求の範囲に記載される。本発明の特徴及び利点は、次の、本発明の原理が利用される例示的な実施形態を記載する以下の発明を実施するための形態、並びに同様の数表示が同様の要素を示す添付の図面を参照することによって、より理解されるであろう。
【図面の簡単な説明】
【００２５】
【図１】本発明の実施形態による医療装置の簡易化された側面図である。
【図１Ａ】図１の線１Ａ−１Ａの断面図である。
【図１Ｂ】図１の線１Ａ−１Ａの断面図の別の実施形態である。
【図２】図１の医療装置の遠位端の拡大図である。
【図３】本発明の副鼻腔バルーンカテーテルの位置決めに有用な副鼻腔ガイドカテーテルのコレクションを示す。
【図４】本発明の医療装置の位置決め用のスタイレットを示す。
【図５】本発明に係る医療装置と共に有用な灌注配管を示す。
【図６】本発明の医療装置と共に使用するためのガイドワイヤの斜視図である。
【図７】本発明の医療装置と共に使用するための副鼻腔照明システムの斜視図である。
【図８】本発明の実施形態に係る医療装置の側面図である。
【発明を実施するための形態】
【００２６】
以下の詳細な説明は、図面を参照しつつ読まれるべきもので、異なる図面中、同様の要素は同様の参照符号にて示してある。図面は、必ずしも実寸ではなく、あくまで説明を目的とした例示的な実施形態を図示したものであり、本発明の範囲を限定することを目的とするものではない。詳細な説明は本発明の原理を限定するものではなく、あくまでも例として説明するものである。この説明文は、当業者による発明の製造及び使用を明確に可能ならしめるものであり、出願時における発明を実施するための最良の形態と考えられるものを含む、発明の複数の実施形態、適応例、変形例、代替例、並びに使用例を述べるものである。
【００２７】
本明細書で任意の数値や数値の範囲について用いる「約」又は「およそ」という用語は、構成要素の部分又は構成要素の集合が、本明細書で述べるその所望の目的に沿って機能することを可能とするような適当な寸法の許容誤差を示すものである。
【００２８】
本発明の実施形態による医療装置は、例えば、それらの構成が、患者の副鼻腔開口部の準備及び治療を特に効率的にするものであり、また機械的にも簡潔であるという点で有利である。更に、医療装置の簡潔性により、これらの医療装置は費用効果的な方式で製造される。更に、本発明の実施形態に係る医療装置は十分硬く、副鼻腔の生体構造へアクセスし、続いて副鼻腔の簡便なリモデリング及び灌注に有益に用いることができる。
【００２９】
図１は、本発明の実施形態に係る、副鼻腔開口部（例えば前頭洞開口部、上顎洞開口部、篩骨洞、又は蝶形骨洞開口部）の処置のための医療装置１００の簡略化された斜視図である。副鼻腔開口部に関して説明したが、本明細書で説明する本発明はまた、エウスタキオ管の拡大、頭蓋骨の骨折の修復、声門下狭窄の拡大などの気道の処置、並びに耳、鼻及び喉の他の処置にも有用となり得る。医療装置１００は、一体型シャフトシステム１０２、及び灌注先端部１０６付近に高圧バルーン１０４を備える、副鼻腔のリモデリング及び灌注カテーテルである。シャフトシステム１０２は、隣接する二重の内腔配管（図１Ａを参照）を含む。「隣接する二重の内腔配管」とは、二重の内腔配管は、内腔が互いに隣合っているが、互いから離間されているということを意図する。膨張内腔１０８は、膨張ポート１５０を通じてバルーンを水、造影剤、又は食塩水を用いて膨張させるのに使用され、灌注内腔１１０は、ガイドワイヤ又は副鼻腔照明システムの経路を可能にし、標的部位まで医療装置１００が前進するのを促進し、更に灌注流体（水又は食塩水）の流れを可能にする。代替の実施形態では、第３の内腔である、ガイドエレメント内腔１１１、例えば膨張内腔１０８及び灌注内腔１１０（図１Ｂを参照）に隣接している内腔が提供されてもよい。灌注内腔１１０及びガイドエレメント内腔１１１は、装置の遠位シャフト部分１１８において、バルーン１０４の近位で単一の灌注内腔１１０に統合する。医療装置１００は、前方を向く先端開口部１１４と半径方向を向く開口部１１２ａ、１１２ｂ、及び１１２ｃとの両方を備える灌注先端部１０６を有し、灌注内腔１１０を通じて灌注送達を促進する。医療装置１００は、診断及び治療目的で、副鼻腔口及び副鼻腔空洞部内の空間を拡張し、並びに標的の副鼻腔内部からの灌注する手段を提供することを意図する。医療装置１００は、副鼻腔口及び副鼻腔空洞部内の空間の拡張前、拡張中、又は拡張後に、灌注内腔１１０を介して送達のために流体を送達することによって、灌注先端部１０６において先端開口部１１４並びに３つの半径方向を向く開口部１１２ａ、１１２ｂ及び１１２ｃを通じて副鼻腔を灌注するように設計される。更に、灌注内腔１１０を通じて流体を送達する代わりに、真空を採用してもよく、並びに、培養物は、先端開口部１１４又は半径方向を向く開口部１１２ａ、１１２ｂ及び１１２ｃを通じて吸引することによって得ることができる。「半径方向を向く開口部」によって、開口部を通じる流れが、先端開口部を通じる流れから９０度であってもよいということが意図されるが、３０度、４５度又は６０度であってもよく、あるいは０度〜９０度の他の角度であってもよく、開口部は、楕円若しくはスロット形状などの円形又は非円形であってもよい。
【００３０】
副鼻腔バルーン１０４は、非コンプライアンス型又はセミコンプライアンス型であるように設計される。非コンプライアンス型バルーンの直径は、膨張圧力で著しく変化せず、セミコンプライアンス型バルーンの直径は、標的部位の付近で「砂時計」すなわち「ドッグボーン」の程度で変化するのみである。バルーン自体は、円形、三角形、楕円形、又は正方形など任意の形状であってもよい。図１に示される実施形態では、バルーンは円形かつセミコンプライアンス型である。以下に詳述されるように、補強部材（この場合では、ハイポチューブ１１６）が、医療装置の近位端（近位シャフト部分１２２の遠位端において）に組み込まれ、副鼻腔ガイドカテーテルを通じた挿入時に剛性をもたらす。
【００３１】
図１に示されるように、一部の実施形態では、直接可視化マーカ及び／又はＸ線撮影マーカが、一体型シャフトシステム１０２に沿って配置されてもよい。概して、「直接可視化マーカ」は、肉眼又は内視鏡の使用によって、使用時に見ることができるマーカを指し、一方、「Ｘ線撮影マーカ」は、Ｘ線不透過性材料を含み、手術中にＸ線透視検査などのＸ線撮影装置を使用して見ることができる。一実施形態では、遠位端において、第１遠位Ｘ線撮影マーカ１２０ａが存在し、これはバルーン１０４の近位テーパ部１４０ａが、バルーン１０４の有効長１４２の近位端と接触する位置と整列する近位縁を有する。第２の遠位Ｘ線撮影マーカ１２０ｂも存在し、これは遠位テーパ部１４０ｂがバルーン１０４の遠位端有効長１４２と接触する位置と整列する遠位縁を有する。遠位マーカ１２０ａ及び１２０ｂのこの外側縁にわたる距離は、バルーン１０４の有効長１４２を表す。遠位マーカ１２０ａ及び１２０ｂは、プラチナマーカバンドであってもよい。この実施形態では、遠位マーカは、装置搭載及び準備中に、医療装置１００がガイド内部で確実に直線位置にあるようにするのに役立つ。追加のＸ線撮影マーカが、カテーテルのシャフトに沿って、及び／又は遠位先端部において含まれてもよい。
【００３２】
直接可視化マーカは、一体型シャフトシステム１０２に沿って多くの位置において位置決めされてもよい。一実施形態は図１及び２に関して本明細書に説明されているが、他の変形例が代替実施形態において置き換えられてもよい。一実施形態において、シャフトシステム１０２は、黒、紺青色、濃い灰色などの暗色を有してもよく、マーカは、白、緑色、赤色などの明色を有してもよい。一部の実施形態では、マーカは、使用時にマーカを互いに見分けるのを容易にするために、異なる色及び／又は異なる幅を有してもよい。この色のコントラストは、血液の存在下で、暗い手術室において、及び／又は患者内部で内視鏡を使用するときに、マーカを見るのを容易にすることができる。
【００３３】
一実施形態において、ある位置において、シャフトシステム１０２の遠位シャフト部分１１８上に配置された第１遠位シャフトマーカ１２８（又は、使用時に内視鏡を介して一般的に見られるので、「内視鏡マーカ」）であってもよく、これによってその遠位縁は、バルーン１０４の近位テーパ部１４０ａがシャフトシステム１０２に接触する位置と整列する。伸ばされたバルーンネック１３４は、第１内視鏡マーカ１２８がシャフト上に配置され、バルーンネックの近位端をシャフトに固定するのに使用されたいずれかの接着剤結合から離れるのを可能にする。第１内視鏡マーカ１２８は、ユーザにバルーン１０４の終端位置を示し、並びに、処置中にバルーンがガイドを出たということを示す。一実施形態では、第１内視鏡マーカ１２８は約２ｍｍの幅であってもよい。
【００３４】
第２遠位シャフトマーカ１３０は、マーカの遠位縁がバルーン１０４の近位テーパ部１４０ａがシャフトシステム１０２と接触する位置から、１ｃｍ±０．２ｃｍであるように、シャフトシステム１０２上に配置される。このマーカは、シャフト位置が、バルーンの端部から１ｃｍ離れているということをユーザに示し、これは、バルーンが処置中にガイドから伸びたことを示す。一実施形態では、第２遠位シャフトマーカは約２ｍｍの幅及び白色であってもよく、一方、第１マーカは約２ｍｍであり、緑色である。当然、任意の数の異なる寸法及び色の組み合わせが別の方法として使用されてもよい。
【００３５】
第３遠位シャフトマーカ１３２は、マーカの遠位縁が、第２遠位シャフトマーカ１３０の遠位縁から１ｃｍ±０．１ｃｍであるように、シャフトシステム１０２上に配置される。図１に示されるように、第３遠位シャフトマーカは、第２遠位シャフトマーカ１３０と第３遠位シャフトマーカ１３２を互いから区別するための二重マーカである。第３遠位シャフトマーカ１３２は、バルーン１０４の近位端の端部から２ｃｍ離れたシャフト位置を示し、したがってバルーンが処置中にガイドから伸びた距離を示す。一実施形態では、第３遠位シャフトマーカ１３２を形成する２つのマーカは、それぞれ幅０．７５ｍｍ及び白色であるが、代替の実施形態ではマーカ寸法及び色は変更されてもよい。第１遠位シャフトマーカ、第２遠位シャフトマーカ、及び第３遠位シャフトマーカの色、長さ及びマーカの数における差は、内視鏡下で可視である、バルーンの近位の相対位置を示す。ユーザである医師は、内視鏡を使用して、ガイドカテーテルから外に前進し、後退したカテーテルの長さを特定することができ、並びに／あるいは、副鼻腔口、他の副鼻腔開口部、又は耳、鼻若しくは喉の他の開口部など、患者の生体構造におけるバルーン１０４の位置を概算することができる。バルーン位置のこの概算は、バルーン１０４が、もはや内視鏡を介して見ることができないほど十分遠くに、バルーン１０４が生体構造の位置まで前進した際の状況において非常に有用である。バルーンの近位部分がもはや可視でないとき、例えば、３つの内視鏡マーカを使用して、ユーザは内視鏡で、カテーテルが前頭凹部内に前進した距離を測定することができる。当然ながら、代替の実施形態では、カテーテルシャフトに沿って異なる数、寸法、色、及び位置を有する遠位シャフトマーカが使用されてもよい。
【００３６】
一部の実施形態では、１つ又は２つ以上の遠位シャフトマーカに加えて、１つ又は２つ以上の近位シャフトマーカが、シャフトシステム１０２の近位部分１２２に沿って配置されてもよい。概して、（これを通じて医療装置１００は前進される）ガイドカテーテル（すなわち、図３のカテーテル２００ａを参照）に対する、医療装置１００のバルーン１０４の位置を医師に示すために、かかる近位シャフトマーカは、内視鏡を使用せずに医師によって直接見られてもよい。遠位シャフトマーカと同様に、近位シャフトマーカは任意の好適な幅、色、数、位置などを有してもよい。一実施形態では、例えば図１に示されているように、２つの近位シャフトマーカ１２４、１２６は、暗色のシャフトシステム１０２と対照をなし、かつ暗い手術室で視感度を高めるために明色を有してもよい。より近位な近位マーカ１２４（又は「第１近位シャフトマーカ」）は、医療装置１００の先端部がガイドカテーテル２００の遠位端にあるということ、並びに、マーカ１２４がガイドカテーテルの近位端２０４内を通るとき、バルーン１０４がガイドカテーテルの遠位端２０２を出たということを示すことができる。より遠位な近位マーカ１２６（又は「第２近位シャフトマーカ」）は、マーカ１２６がガイドカテーテルの近位端２０４において配置されているとき、バルーン１０４はガイドカテーテルにおける湾曲部２０６に直近位にあるということをユーザに示すことができる。
【００３７】
一実施形態では、近位バルーンテーパ部１４０ａの近位端から、第１シャフトマーカ１２４の近位端までの長さが１３．１ｃｍ±０．２ｃｍであるように、第１近位シャフトマーカ１２４は、シャフトシステム１０２上に配置される。第１近位シャフトマーカ１２４の長さは、バルーンカテーテルの寸法によって変化してもよく、並びに、灌注先端部１０６の長さ、バルーン１０４の有効長若しくは作業長１４２、並びに２つのバルーンテーパ区分１４０ａ及び１４０ｂの長さを追加することによって決定されてもよい。また、第１近位シャフトマーカ１２４は白色であるのが好ましいが、灰色など他の明色が同様に使用されてもよい。
【００３８】
第２近位シャフトマーカ１２６は、第１近位シャフトマーカ１２４から遠位に、シャフトシステム１０２上に配置される。第２近位シャフトマーカ１２６は、医療装置１００の灌注先端部１０６が、第２近位シャフトマーカ１２６の遠位縁から１１．４ｃｍ±０．２ｃｍであるように位置決めされる。また、第２近位シャフトマーカ１２６は、３ｍｍ±２ｍｍの長さを有する。第２シャフト近位マーカ１２６が白色であるのが好ましいが、灰色など他の明色が同様に使用されてもよい。
【００３９】
医療装置１００が、ガイドカテーテル２００ａ内に挿入されるとき、副鼻腔ガイドカテーテル２００ａに対する灌注先端部１０６及び医療装置１００のバルーン１０４の位置を決定するために、ユーザは第１近位シャフトマーカ１２４及び第２近位シャフトマーカ１２６を可視化してもよい。例えば、第２近位シャフトマーカ１２６は、ガイドカテーテルの近位開口部２０４と整列するとき、ユーザは、バルーン１０４がガイドカテーテルの湾曲部２０６に近位であるということが分かる。第２近位シャフトマーカ１２６の位置は、医療装置１００が副鼻腔ガイドカテーテル２００ａ内に正確に搭載されているということを視覚的に確認にするのに役立つ。第１近位シャフトマーカ１２４の遠位縁が、ガイドカテーテル２００ａの近位開口部２０４と整列するとき、ユーザは、医療装置１００の灌注先端部１０６が、ガイドカテーテル２００ａを出始めるということが分かり、並びに、第１近位シャフトマーカの近位縁がガイドカテーテル２００ａの近位開口部２０４と整列するとき、ユーザは、バルーンが完全にガイドカテーテル２００ａの外にあるということが分かる。
【００４０】
可視可能なマーカ１２４、１２６、１２８、１３０及び１３２は、シャフトシステム１０２の暗色（これは黒色であるのが好ましい）と対照をなすために、上記で示したように白などの明色であることが好ましい。これらの可視可能なマーカとシャフトとのハイコントラストは、微光環境においてマーカを見るのに役立つ。また、この高コントラストにより、ユーザが内視鏡を用いて直接マーカを見ること、及び副鼻腔洞に対してどこにバルーン１０４が配置されているかを知ることが可能になる。更にこの色のコントラストは、処置中に領域が血液及び／又は粘液で満ちているとき、マーカを見てバルーンの位置を知るのに有用である。当然ながら、任意の他の好適な対照をなす色の組み合わせが使用されてもよい。一実施形態では、例えばシャフトシステム１０２は明色であってもよく、マーカ１２４、１２６、１２８、１３０、及び１３２は暗色であってもよい。
【００４１】
図３は、医療装置１００と共に使用され得る一連の副鼻腔ガイドカテーテル２００ａ〜２００ｆを示す。これらのガイドカテーテル２００ａ〜２００ｆは実質的に剛性であり、それぞれは、０度（２００ａ）、３０度（２００ｂ）、９０度（２００ｄ）、７０度（２００ｃ）、又は１１０度（２００ｅ及び２００ｆ）の、予め設定された遠位の湾曲部を有する。異なる湾曲は、副鼻腔及び異なる副鼻腔口にアクセスするのに使用可能である。例えば、７０度のガイドは典型的に、前頭洞口にアクセスするのに使用され、９０度又は１１０度のガイドは典型的に上顎洞口などにアクセスするのに使用される。これらのガイドカテーテル２００ａ〜２００ｆはそれぞれ１２．７ｃｍの長さを有する。これらの副鼻腔ガイドカテーテルは、本明細書に参照として援用される米国特許出願第１０／９４４，２７０号及び同第１１／３５５，５１２号、並びに米国特許第７，６５４，９９７号及び同第７，８０３，１５０号に記載され、Ａｃｃｌａｒｅｎｔ，Ｉｎｃ．（Ｍｅｎｌｏ  Ｐａｒｋ，Ｃａｌｉｆ）からＲｅｌｉｅｖａ（商標）副鼻腔ガイドとして市販されている。
【００４２】
医療装置１００は、バルーン挿入スタイレット３００（図４を参照）及び灌注配管４００（図５を参照）と共にパッケージ化される。スタイレット３００は、丸い遠位先端部３０２、支持シャフト３０４、及び近位ループ３０６を含む。挿入スタイレット３００は、副鼻腔ガイドカテーテル２００ａ内への医療装置１００の挿入を支援し、患者の生体構造内に医療装置１００を前進させる前に、装置１００から取り外される。灌注配管４００は、標準的なルアーコネクタ４０２及び４０４を各端部上に組み込み、副鼻腔の灌注のために医療装置１００の灌注ポート１４４に無菌注射器を取り付けるのに使用される。更に、図８に示されているように、医療装置８２０の挿入を助けるために、ユーザの母指又は指によって操作することができるリング８００が提供される。
【００４３】
以下の記載において、副鼻腔のガイドカテーテルは２００ａと見なされるが、図３に示されている任意のガイドカテーテル２００ｂ〜ｆが使用されてもよい。副鼻腔ガイドカテーテル２００ａ内への医療装置１００の挿入後、ガイドエレメント、例えば副鼻腔ガイドワイヤ５００（すなわちＡｃｃｌａｒｅｎｔ  Ｉｎｃ（Ｍｅｎｌｏ  Ｐａｒｋ，ＣＡ）によって製造され、図６示されているＲｅｌｉｅｖａ  Ｖｉｇｏｒ（登録商標））又は副鼻腔照明システム６００（すなわちＡｃｃｌａｒｅｎｔ  Ｉｎｃ（Ｍｅｎｌｏ  Ｐａｒｋ，ＣＡ）によって製造され、図７示されているＲｅｌｉｅｖａ  Ｌｕｍａ  Ｓｅｎｔｒｙ（商標）Ｓｉｎｕｓ  Ｉｌｌｕｍｉｎａｔｉｏｎ  Ｓｙｓｔｅｍ）が、医療装置１００の灌注ポート１４４を通じて、かつ副鼻腔ガイドカテーテル２００ａの遠位先端部まで挿入される。副鼻腔のアクセスは、鼻の生体構造において副鼻腔ガイドカテーテル２００ａを位置決めし、副鼻腔ガイドワイヤ５００又は副鼻腔照明システム６００を標的の副鼻腔内に前進させることによって達成される。いったん副鼻腔のアクセスが達成されると、医療装置１００は、副鼻腔ガイドワイヤ５００又は副鼻腔照明システム６００を超えて標的空間内に前進される。バルーンカテーテル上の内視鏡マーカを使用して配置に役立てることができる。医療装置１００は次いで、副鼻腔口を拡張するために膨張される。拡張に続いてバルーンが収縮される。ガイドワイヤ５００又は副鼻腔照明システム６００は鼻の生体構造から取り外される。標準的な注射器が灌注配管４００に接続され、これは医療装置１００の灌注ポート１４４に接続される。流体は、灌注先端部１０６を通じて、医療装置１００の遠位端開口部１１４、並びに３つの半径方向を向く開口部１１２ａ、１１２ｂ及び１１２ｃを介して副鼻腔まで手動で送達され、それぞれ側部ポートは０．０６６ｃｍ（０．０２６インチ）の直径を有する。完了時に、医療装置１００は副鼻腔ガイドカテーテル２００ａ内に後退され、生体構造から取り除かれる。医療装置１００は、同じ患者において更なる副鼻腔拡張及び／又は灌注のために準備されてもよい。あるいは、吸引システム、例えば標準注射器又は真空ポンプなどの他の真空源が、いずれか直接及び配管システムを通じて灌注ポート１４４に接続されてもよく、標的副鼻腔は、その治療の前又は後のいずれかで吸引されてもよい。
【００４４】
医療装置１００の寸法は３．５ｍｍ×１２ｍｍ、６ｍｍ×１６ｍｍ又は７ｍｍ×２４ｍｍであってもよいが、５ｍｍ×１６ｍｍ、５ｍｍ×２４ｍｍ又は７ｍｍ×１６ｍｍを含むがこれに限定されない他のものも本発明の範囲内である。装置の遠位シャフト部分又は区分１１８は、０．０９４ｃｍ（０．０３７インチ）以上の内径を有し、装置の近位シャフト部分又は区分１２２は、０．１０７ｃｍ（０．０４２インチ）の内径を有する。第１内視鏡マーカ１２８の遠位縁１３８は、近位バルーンテーパ部１４０ａの近位縁１３６から１０ｍｍに位置し、医療装置の先端開口部１１４から第１シャフトマーカ１２４の遠位端１２４ａまでの長さは１１４ｍｍであり、近位バルーンテーパ部１４０ａの近位端１３６からシャフトメーカ１２４の近位端１２４ａまでの長さは１３１ｍｍである。３．５ｍｍの医療装置の合計長さは、２５０ｍｍであり、他の医療装置の合計長さは２５２ｍｍである。医療装置用にバルーンが膨張した直径は以下のとおりである：３．５ｍｍ×１２ｍｍのものは３．５ｍｍ、６ｍｍ×１６ｍｍのものは６ｍｍ、並びに７ｍｍ×２４ｍｍのものは７ｍｍ。医療装置のバルーンが膨張した作業長は、以下のとおりである：３．５ｍｍ×１２ｍｍのものは１２ｍｍ、６ｍｍ×１６ｍｍのものは１６ｍｍ、並びに７ｍｍ×２４ｍｍのものは２４ｍｍ。外側シャフトの最大直径は０．２１８ｃｍ（０．０８６インチ）以下である。バルーンカテーテルの膨張時間は、５秒以下であることが好ましい。灌注流量はおよそ１００ｍＬ／分であり、５０〜２００ｍＬ／分、又は７５〜１２５ｍＬ／分であってもよく、最大流量は２５０ｍＬ／分を有する。
【００４５】
バルーン１０４は、膨張バルーンに関して当該技術分野において既知の任意の好適な材料から作製され、ナイロン（セミコンプライアンス型）及びポリエチレンテレフタレート（ＰＥＴ）（非コンプライアンス型）など、コンプライアンス型、セミコンプライアンス型又は非コンプライアンス型材料から構成されてもよい。具体的な実施形態では、バルーンは、ナイロンなどセミコンプライアンス型から構成される。非外傷性先端部分１４６もナイロンで作製され、約５５Ｄ（多くの場合、約４０Ｄ）未満のジュロ硬度を備える柔軟性である。灌注先端部の残部は、先端部分１４６よりも柔軟性が小さく（約５５Ｄ超、しばしば約７０Ｄのジュロ硬度を備える）、並びに、半径方向を向く開口部１１２ａ、１１２ｂ及び１１２ｃを収容するために、既知の技術のバルーン先端部よりも長く、可撓性である。このように、医療装置１００は、ガイドカテーテル２００ａ内及び蛇行している副鼻腔の生体構造を通って、より容易に挿入される。非外傷性先端部分１４６は、２０％の硫酸バリウムを伴なったナイロンで、長さがおよそ１ｍｍのマーカを更に含んでもよく、又は蛍光透視化用のいずれか他の種類のＸ線不透過性マーカ、又は患者の生体構造の直接視覚化用の着色されたマーカを更に含んでもよい。図１Ａに示されている具体的な実施形態では、医療装置１００の外側シャフト１４８はｐｅｂａｘから作製される。第１内部シャフト１５０（膨張内腔を含む）及び第２内側シャフト１５２（灌注内腔を含む）は、ナイロン及びｐｅｂａｘから作製される。外側シャフト１４８を包囲するハイポチューブシャフト１１６は、ステンレス鋼３０４である。材料の組み合わせ（ナイロンバルーン及び隣接する二重内腔設計）は、ガイドカテーテル２００ａ内への医療装置の挿入の容易さ、及びガイドカテーテル２００ａからの取り外し（少なくとも部分的に、ナイロンバルーンの、より小さな外形による）、並びに蛇行する副鼻腔の生体構造を通じたナビゲーションを提供する。ガイドカテーテル２００ａ内への挿入及び蛇行する生体構造を通じたナビゲーションはまた、長く、柔軟で可撓性の非外傷性先端部によって向上される。
【００４６】
医療装置１００は、副鼻腔内深く、並びに副鼻腔空間内の他の領域の流体を灌注する、又は流体を吸引するように構成される。医療装置１００は、上顎洞、蝶形骨洞、篩骨洞、及び前頭洞など、成人並びに小児の副鼻腔内に送達されるように適切な寸法にされている。更に、本発明の装置は、耳管の治療又は中耳にアクセスするための切開による治療に有用であり得る。医療装置１００は、また副鼻腔内又は副鼻腔空間における他の領域内に診断物質又は治療物質を送達するのに使用されてもよい。かかる診断物質又は治療物質の例には、これらに限定されないが、造影剤、薬剤として許容される塩又は抗菌剤の剤形（例えば、抗生物質、抗ウィルス剤、抗寄生虫剤、抗真菌剤など）、コルチコステロイド又は他の抗炎症剤（例えば、ＮＳＡＩＤ）、鬱血除去剤（例えば、血管収縮剤）、粘液希釈化剤（例えば、去痰剤又は粘液溶解剤）、血管収縮を伴う、又は伴わない麻酔剤（例えばエピネフリンを使用する又は使用しないキシロカイン、エピネフリンを使用する又は使用しないテトラカイン）、鎮痛剤、アレルギー反応の変化を予防する薬剤（例えば、抗ヒスタミン剤、サイトカイン阻害物質、ロイコトリエン阻害物質、ＩｇＥ阻害物質、免疫賦活剤）、アレルゲン、又は組織による粘液の分泌を引き起こす別の物質、抗増殖剤、出血を止めるための止血剤、細胞毒性剤（例えば、アルコール）、並びに、タンパク質分子、幹細胞、遺伝子、又は遺伝子治療調整物といった生物学的薬剤が挙げられる。
【００４７】
ここで図１を参照すると、一実施形態において、医療装置は、前方を向く先端開口部１１４並びに、灌注端部１０６上で１２０度離間される半径方向を向く開口部１１２ａ、１１２ｂ、及び１１２ｃを含んでもよく、前方を向く先端開口部の内径は０．０９４ｃｍ（０．０３７インチ）であり、側部開口部のそれぞれは、０．０６６ｃｍ（０．０２６インチ）の直径を有し、非外傷性先端部の近位の灌注内腔の内径は約０．１０７ｃｍ（０．０４２インチ）である。別の実施形態は、螺旋状パターンなど、任意の好適なパターンで分布している、任意の好適な選択的な数の側部開口部を含んでもよい。一実施形態では、第１側部開口部は、医療装置１００の遠位端から約２．５ｍｍにおいて配置されてもよく、第２側部開口部は、医療装置１００の遠位端から約３．５ｍｍにおいて配置されてもよく、第３側部開口部は、医療装置１００の遠位端から約４．５ｍｍにおいて配置されてもよく、これらの測定のそれぞれは遠位端から側部開口部それぞれのおよその中心までである。医療装置１００の遠位端から、バルーン１０４の遠位端までの灌注先端部の長さは、およそ７ｍｍである。側部開口部はそれぞれが、様々な別の実施形態において任意の好適な直径を有してもよい。例えば、一実施形態では、非外傷性先端部に近位の灌注先端部の灌注内腔直径が、前方を向く先端開口部直径より大きい場合に限り、各側部開口部は約０．０５１ｃｍ〜約０．１２７ｃｍの、又は約０．０７６ｃｍ〜約０．１０２ｃｍの、及び又は約０．０８４ｃｍ（約０．０２０インチ及び約０．０５０インチ及び／又は約０．０３０インチ〜約０．０４０インチ、及び又は約０．０３３インチ）の直径を有してもよい。
【００４８】
代替の実施形態では、医療装置１００は、装置の遠位端からの灌注が存在しないが、半径方向を向く開口部からのみ灌注が存在するような一体型のガイドワイヤを含んでもよい。
【００４９】
本発明は、本発明の特定の実施例又は実施形態に関して上記に述べられているが、本発明の目的とする要旨及び範囲から逸脱することなく、これらの実施例及び実施形態に様々な追加、削除、修正及び変更を行うことが可能である。例えば、ある実施形態又は実施例の任意の要素若しくは属性は、特に断らないかぎり、あるいはそうすることによって当該実施形態又は実施例がその目的とする使用に適さないものとならないかぎりにおいて、別の実施形態又は実施例に取り入れるか、又は別の実施形態又は実施例と共に使用することが可能である。また、方法又はプロセスの各工程が特定の順序で述べられているか又は列記されている場合、こうした各工程の順序は、特に断らないかぎり、あるいはそうすることによって当該方法又はプロセスがその目的において機能しないものとならないかぎりにおいて、変更することが可能である。すべての妥当な追加、削除、改変及び変更は、述べられた例及び実施形態の均等物とみなし、以下の「特許請求の範囲」内に含まれるものとする。
【００５０】
〔実施の態様〕
（１）  副鼻腔開口部の治療のための医療装置であって、前記医療装置は、
近位端と、
遠位端と、
前記近位端と前記遠位端との間に、膨張内腔及び灌注内腔を有するシャフトシステムであって、近位シャフト区分及び遠位シャフト区分を有する、シャフトシステムと、
前記遠位シャフト区分上にあり、前記遠位端に近位のインフレータブルバルーンと、
前記遠位シャフト区分上にあり、前記インフレータブルバルーンに遠位の灌注先端部であって、先端開口部及び１つ又は２つ以上の半径方向を向く開口部を含む、灌注先端部と、を含む、医療装置。
（２）  前記１つ又は２つ以上の半径方向を向く開口部が、３つの開口部を含む、実施態様１に記載の医療装置。
（３）  前記半径方向を向く開口部が、０．０５１ｃｍ〜０．１２７ｃｍ（０．０２０インチ〜０．０５０インチ）の直径を有する、実施態様２に記載の医療装置。
（４）  前記半径方向を向く開口部が、０．０６６ｃｍ（０．０２６インチ）の直径を有する、実施態様３に記載の医療装置。
（５）  前記半径方向を向く開口部が、１２０度離間される、実施態様２に記載の医療装置。
【００５１】
（６）  前記膨張内腔及び前記灌注内腔が、隣接する内腔である、実施態様１に記載の医療装置。
（７）  前記灌注先端部が、非外傷性先端部分を含む、実施態様１に記載の医療装置。
（８）  ガイドエレメント内腔を更に含む、実施態様１に記載の医療装置。
（９）  前記灌注先端部が、前記非外傷性先端部の近位の灌注先端部内腔を有し、前記灌注先端部内腔が、灌注先端部内腔直径を有し、
前記先端開口部が、先端開口部直径を有し、
前記灌注先端部内腔直径が、前記先端開口部直径より大きい、実施態様７に記載の医療装置。
（１０）  前記先端開口部直径が、０．０９４ｃｍ（０．０３７インチ）であり、前記灌注内腔直径が、０．１０７ｃｍ（０．０４２インチ）である、実施態様９に記載の医療装置。
【００５２】
（１１）  前記近位シャフト区分が、補強部材を更に含む、実施態様１に記載の医療装置。
（１２）  前記補強部材がハイポチューブを含む、実施態様１１に記載の医療装置。
（１３）  副鼻腔にアクセスし、副鼻腔を拡張し、かつ副鼻腔を灌注するためのシステムであって、前記システムは、
副鼻腔ガイドカテーテルと、
ガイドエレメントと、
膨張内腔、灌注内腔、インフレータブルバルーン、及び灌注先端部を含む医療装置と、を含み、
前記膨張内腔及び前記灌注内腔は、隣接する内腔であり、前記灌注先端部は、少なくとも１つの半径方向を向く開口部を含む、システム。
（１４）  前記医療装置が、１つ又は２つ以上の直接可視化マーカを更に含む、実施態様１３に記載のシステム。
（１５）  前記医療装置が、１つ又は２つ以上のＸ線撮影マーカを更に含む、実施態様１３に記載のシステム。
【００５３】
（１６）  前記少なくとも半径方向を向く開口部が、３つの開口部を含む、実施態様１３に記載のシステム。
（１７）  前記半径方向を向く開口部が、０．０５１ｃｍ〜０．１２７ｃｍ（０．０２０インチ〜０．０５０インチ）の直径を有する、実施態様１６に記載のシステム。
（１８）  前記半径方向を向く開口部が、０．０６６ｃｍ（０．０２６インチ）の直径を有する、実施態様１７に記載のシステム。
（１９）  前記半径方向を向く開口部が、１２０度離間される、実施態様１６に記載のシステム。
（２０）  前記ガイドエレメントが、ガイドワイヤ又は副鼻腔照明システムからなる群から選択される、実施態様１３に記載のシステム。
【００５４】
（２１）  前記医療装置が、ガイドエレメント内腔を更に含む、実施態様１３に記載のシステム。
（２２）  前記医療装置の灌注先端部が、非外傷性先端部の近位の灌注先端部内腔を有し、前記灌注先端部内腔が、灌注先端部内腔直径を有し、
前記先端開口部が、先端開口部直径を有し、
前記灌注先端部内腔直径が、前記先端開口部直径より大きい、実施態様１３に記載のシステム。
（２３）  前記先端開口部直径が、０．０９４ｃｍ（０．０３７インチ）であり、前記灌注先端部内腔直径が、０．１０７ｃｍ（０．０４２インチ）である、実施態様２２に記載のシステム。
（２４）  前記医療装置の近位シャフト区分が、補強部材を更に含む、実施態様１３に記載のシステム。
（２５）  前記補強部材がハイポチューブを含む、実施態様２４に記載のシステム。
【００５５】
（２６）  副鼻腔開口部を治療するためのパッケージ化されたキットであって、
膨張内腔、灌注内腔、インフレータブルバルーン、及び灌注先端部を含む医療装置であって、前記膨張内腔及び前記灌注内腔は隣接する内腔であり、前記灌注先端部は、少なくとも１つの半径方向を向く開口部を含む、医療装置と、
前記医療装置を副鼻腔ガイドカテーテル内に挿入するための、バルーン挿入スタイレットと、
前記医療装置を灌注流体源に接続するための灌注配管と、を含む、パッケージ化されたキット。
（２７）  副鼻腔開口部を治療するためのパッケージ化されたキットであって、前記キットは、
膨張内腔、灌注内腔、インフレータブルバルーン、及び灌注先端部を含む医療装置であって、前記膨張内腔及び前記灌注内腔は隣接する内腔であり、前記灌注先端部は、少なくとも１つの半径方向を向く開口部を含む、医療装置と、
前記医療装置を副鼻腔ガイドカテーテル内に挿入するための、バルーン挿入スタイレットと、
前記医療装置を真空源に接続するための吸引システムと、を含む、パッケージ化されたキット。
（２８）  鼻の生体構造における標的空間を治療する方法であって、
膨張内腔、灌注内腔、インフレータブルバルーン、及び灌注先端部を含む医療装置を提供することであって、前記膨張内腔及び前記灌注内腔は隣接する内腔であり、前記灌注先端部は、先端開口部及び少なくとも１つの半径方向を向く開口部を含む、ことと、
前記医療装置を副鼻腔ガイドカテーテル内に挿入することと、
前記灌注内腔を通じてガイドエレメントを前記医療装置内に挿入することと、
前記ガイドカテーテルを前記鼻の生体構造において位置決めすることと、
前記ガイドエレメントを、前記鼻の生体構造の前記標的空間内に前進させることと、
前記ガイドエレメントにわたって前記医療装置を前記鼻の生体構造の前記標的空間内に前進させることと、
前記バルーンを膨張させて副鼻腔開口部を拡張することと、
前記バルーンを収縮させることと、
前記ガイドエレメントを前記医療装置から回収することと、
前記医療装置に灌注配管を接続することと、
前記先端開口部及び前記少なくとも１つの半径方向を向く開口部を通じて流体を前記標的空間に送達することと、を含む、方法。
（２９）  前記流体を送達することが、５０ｍＬ／分〜２００ｍＬ／分の流量で生じる、実施態様２８に記載の方法。
（３０）  前記流量が、７５ｍＬ／分〜１２５ｍＬ／分である、実施態様２９に記載の方法。
【００５６】
（３１）  前記副鼻腔開口部が、前頭洞開口部、上顎洞開口部、篩骨洞開口部、及び蝶形骨洞開口部からなる群から選択される、実施態様２８に記載の方法。
（３２）  前記流体が、水、食塩水、造影剤、抗菌剤、抗炎症剤、鬱血除去剤、粘液希釈化剤、麻酔剤、鎮痛薬、抗アレルギー剤、アレルゲン、抗増殖剤、止血剤、細胞毒性剤、及び生物学的薬剤、又は上記のいずれかの組合せからなる群から選択される、実施態様２８に記載の方法。
【図１】
2014521438.tif 000003
【図１Ａ】
2014521438.tif 000004
【図１Ｂ】
2014521438.tif 000005
【図２】
2014521438.tif 000006
【図３】
2014521438.tif 000007
【図４−５】
2014521438.tif 000008
【図６】
2014521438.tif 000009
【図７】
2014521438.tif 000010
【図８】
2014521438.tif 000011
【国際調査報告】
2014521438.tif 000012
2014521438.tif 000013
2014521438.tif 000014
2014521438.tif 000015